(57)【要約】【課題】ゴム部材が膨潤しても押釦のストロークの変化が小さい押釦スイッチを提供すること。【解決手段】  押釦スイッチ１０は、収容空間１２内にクリックラバー４０と接点対１４を収容し、押釦７０を部分的に収容している。押釦７０は、上下方向に移動可能であり、第１接触部１１１が設けられている。クリックラバー４０は、第１接触部１１１と接触する第２接触部１１３を有する。第１接触部１１１及び第２接触部１１３の少なくとも一方は、上下方向と斜交する。収容空間１２内には、受容空間１２１と許容空間１２３とが設けられている。受容空間１２１は、部分的にクリックラバー４０によって規定され、第２接触部１１３よりも下方に位置している。受容空間１２１は、クリックラバー４０が膨潤したとき、変形しつつ上方へ移動して押釦７０の一部を受容する。許容空間１２３は、クリックラバー４０が膨潤したとき、クリックラバー４０の膨張を許容する。【選択図】図２０
2020155317.tif 000002
【特許請求の範囲】
【請求項１】
基板と、筐体と、可動部と、弾性部材と、接点対とを備える押釦スイッチであって、
前記筐体は、前記基板と共に収容空間を規定しており、
前記筐体には、規制部が設けられており、
前記接点対は、前記収容空間内に位置しており、
前記可動部は、少なくとも部分的に前記収容空間に収容されており、かつ上下方向において上限位置と下限位置との間で移動可能であり、
前記可動部には、被規制部と第１接触部が設けられており、
前記可動部が前記上限位置にあるとき、前記被規制部は前記規制部により前記上下方向において上方への移動を規制されており、
前記可動部が前記上限位置にあるとき、前記接点対の接点は互いに離れており、
前記可動部が前記下限位置にあるとき、前記接点対の接点は互いに接触しており、
前記弾性部材は、ゴム材料からなり、かつ前記収容空間内に収容されており、
前記弾性部材は、前記収容空間内において前記第１接触部と接触する第２接触部を有しており、
前記第１接触部及び前記第２接触部の少なくとも一方は、前記上下方向と斜交しており、
前記収容空間内には、受容空間と許容空間とが設けられており、
前記受容空間は、少なくとも部分的に前記弾性部材によって規定され、かつ前記第２接触部よりも前記上下方向において下方に位置しており、
前記受容空間は、前記弾性部材が膨潤したとき、変形しつつ上方へ移動して前記可動部の一部を受容するものであり、
前記許容空間は、前記弾性部材の周囲に設けられており、
前記許容空間は、前記弾性部材が膨潤したとき、前記弾性部材の膨張を許容する
押釦スイッチ。
【請求項２】
請求項１に記載の押釦スイッチであって、
前記可動部は、キートップと、前記上下方向において前記キートップから下方に延びる垂直部とを有しており、
前記第１接触部は、前記垂直部に形成されており、
前記受容空間は、前記弾性部材が膨潤したとき、前記垂直部の一部を受容する
押釦スイッチ。
【請求項３】
請求項２に記載の押釦スイッチであって、
前記弾性部材は、下方が開放されたドーム形状部を有しており、
前記ドーム形状部の頂部には、肉厚部が形成されており、
前記肉厚部の上面には、凹部が形成されており、
前記凹部は、内側面を有しており、
前記第２接触部は、前記凹部の前記内側面上に設けられており、
前記受容空間は、前記凹部内に位置しており、
前記垂直部は、押し子であり、
前記第１接触部は、前記押し子の下端に形成されており、
前記弾性部材は、前記第１接触部と前記第２接触部との接触により、前記可動部を支持しており、
前記キートップが前記上下方向において下方へ押下されると、前記押し子が前記肉厚部を下向きに押す。
押釦スイッチ。
【請求項４】
請求項３に記載の押釦スイッチであって、
前記接点対は、前記上下方向において前記肉厚部の下方に設けられた可動接点と、前記上下方向において前記可動接点と対向するように前記基板の上側板面に設けられた固定接点とからなる
押釦スイッチ。
【請求項５】
請求項３又は請求項４に記載の押釦スイッチであって、
前記凹部の前記内側面は、前記上下方向と斜交している
押釦スイッチ。
【請求項６】
請求項３から請求項５までのいずれか一つに記載の押釦スイッチであって、
前記押し子の下端にはテーパ形状部が形成されており、
前記第１接触部は、前記テーパ形状部に設けられている
押釦スイッチ。
【請求項７】
請求項２に記載の押釦スイッチであって、
前記押釦スイッチは、更にガイド部を有しており、
前記ガイド部は、前記収容空間内に位置しており、
前記ガイド部には、前記上下方向に沿って延びるガイド孔が形成されており、
前記可動部は、前記上下方向において前記キートップから下方に延びる被ガイド部と、前記上下方向において前記キートップから下方に延びる押し子とを有しており、
前記被ガイド部は、前記ガイド孔に少なくとも部分的に挿入され、前記上下方向においてガイドされており、
前記垂直部は、前記押し子であり、
前記押し子は、前記上下方向と直交する水平面内において、前記被ガイド部を囲んでおり、
前記第１接触部は、前記押し子の下端に形成されており、
前記弾性部材は、下方が開放されたドーム形状部を有しており、
前記ドーム形状部の頂部には貫通孔が形成されており、
前記ドーム形状部には、前記貫通孔を囲う円筒部が設けられており、
前記円筒部の下端には、前記上下方向において下方へ突出する少なくとも一つの押圧部が形成されており、
前記第２接触部は、前記円筒部の上端に設けられており、
前記受容空間は、前記円筒部内に位置しており、
前記弾性部材は、前記第１接触部と前記第２接触部との接触により、前記可動部を支持しており、
前記キートップが押下されると、前記被ガイド部が前記ガイド孔内を下方に移動すると共に、前記少なくとも一つの押し子が前記円筒部を下向きに押す
押釦スイッチ。
【請求項８】
請求項７に記載の押釦スイッチであって、
前記接点対は、少なくとも一対あり、前記少なくとも一つの押圧部に夫々対応しており、
前記接点対の夫々は、前記上下方向において前記押圧部の下方に設けられた可動接点と、前記上下方向において前記可動接点と対向するように前記基板の上側板面に備えられた固定接点とからなる
押釦スイッチ。
【請求項９】
請求項７又は請求項８に記載の押釦スイッチであって、
前記円筒部の上端には、前記上下方向と斜交する傾斜面が設けられており、
前記傾斜面は、第２接触部を構成している
押釦スイッチ。
【請求項１０】
請求項７から請求項９までのいずれか一つに記載の押釦スイッチであって、
前記押し子の下端にはテーパ形状部が形成されており、
前記第１接触部は、前記テーパ形状部に設けられている
押釦スイッチ。
【請求項１１】
請求項２に記載の押釦スイッチであって、
前記押釦スイッチは、更に付加的弾性部材を備えており、
前記付加的弾性部材は、下方が開放された付加的ドーム形状部を有しており、
前記付加的ドーム形状部の頂部には、受部が形成されており、
前記可動部は、前記上下方向において前記キートップから下方に延びる押し子を更に有しており、
前記押し子は、前記付加的弾性部材の受部上に位置しており、それによって、弾性部材は、可動部を支持しており、
前記上下方向において前記キートップが下方へ押下されると、前記押し子が前記受部を下向きに押すものであり、
前記弾性部材は、下方が開放されたドーム形状部を有しており、
前記ドーム形状部の頂部には、貫通孔が形成されており、
前記ドーム形状部には、前記貫通孔を囲う円筒部が形成されており、
前記第２接触部は、前記円筒部の上端に設けられており、
前記受容空間は、前記円筒部内に位置している
押釦スイッチ。
【請求項１２】
請求項１１に記載の押釦スイッチであって、
前記押釦スイッチは、更にガイド部を有しており、
前記ガイド部は、前記収容空間内に位置しており、
前記ガイド部には、前記上下方向に沿って延びるガイド孔が形成されており、
前記押し子は、前記ガイド孔に少なくとも部分的に挿入され、前記上下方向においてガイドされており、
前記垂直部は、前記上下方向と直交する水平面内において、前記押し子を囲んでおり、
前記円筒部は、全周に亘って、前記垂直部に接しており、
前記弾性部材の下端は、全周に亘って前記ガイド部に接しており、
前記弾性部材は、前記押し子と前記ガイド孔との間に異物が進入することを防止している
押釦スイッチ。
【請求項１３】
請求項１１又は請求項１２に記載の押釦スイッチであって、
前記円筒部の内側には、前記上下方向と斜交する内周面が形成されており、
前記第２接触部は、前記内周面に設けられている
押釦スイッチ。
【請求項１４】
請求項１１から請求項１３までのいずれか一つに記載の押釦スイッチであって、
前記押し子の下端にはテーパ形状部が形成されており、
前記第１接触部は、前記テーパ形状部に設けられている
押釦スイッチ。
【発明の詳細な説明】
【技術分野】
【０００１】
本発明は、押釦スイッチに関し、特にゴム部材を有する押釦スイッチに関する。
【背景技術】
【０００２】
特許文献１は、クリックラバーと呼ばれるゴム部材を備えるキースイッチ（押釦スイッチ）を開示している。図４９に示されるように、特許文献１のキースイッチ９０において、クリックラバー９０１は、キートップ９０３と回路基板９０５との間に配置されている。キートップ９０３が押し下げられると、クリックラバー９０１は弾性変形し、可動接点９１１が固定接点９１３に接触する。また、キートップ９０３が解放されると、クリックラバー９０１は復元力により元の形状に戻り、可動接点９１１は固定接点９１３から離れる。このように、特許文献１のキースイッチ９０は、クリックラバー９０１の弾性を利用して、可動接点９１１と固定接点９１３との間の接続及び切断を実現する。
【０００３】
一方、特許文献２は、ゴム製の環状要素である保護部材を備えるキースイッチ装置（押釦スイッチ）を開示している。図５０に示されるように、特許文献２のキースイッチ装置９５の保護部材９５１は、キートップ９５３と基板９５５との間に配置されている。保護部材９５１は、キートップ９５３の昇降動作に追従して弾性変形する一方、常に接点部等の内部機構９５７の周囲を包囲している。これにより、保護部材９５１は、キースイッチ装置９５内部への異物の進入を防いでいる。
【先行技術文献】
【特許文献】
【０００４】
【特許文献１】特開２００３−５９３６８号公報
【０００５】
【特許文献２】特開２００８−２１４２８号公報
【発明の概要】
【発明が解決しようとする課題】
【０００６】
油や薬液等の液体を扱う現場において使用される押釦スイッチには、その液体が付着する可能性がある。そして、押釦スイッチに付着した液体は、押釦スイッチ内部に進入し、押釦スイッチ内部のゴム部材を膨潤させることがある。押釦スイッチ内部のゴム部材が膨潤すると、そのゴム部材の弾性変形のために許容された空間が狭まり、押釦のストロークが縮小されるという問題を生じる。
【０００７】
特許文献１のキースイッチには、操作する人の手の油脂分がクリックラバーに付着しないように、キートップの下端部に鍔部が設けられている。しかしながら、この鍔部は、人の手の油脂分を超える量の液体に対してほとんど効果がない。また、特許文献２のキースイッチ装置は、液体の進入によるゴム部材の膨潤に対して全く考慮されていない。
【０００８】
したがって、ゴム部材が使用される押釦スイッチであって、ゴム部材の膨潤の前後において押釦のストロークの変化が小さい押釦スイッチが求められている。
【課題を解決するための手段】
【０００９】
本発明は、第１の押釦スイッチとして、基板と、筐体と、可動部と、弾性部材と、接点対とを備える押釦スイッチであって、
前記筐体は、前記基板と共に収容空間を規定しており、
前記筐体には、規制部が設けられており、
前記接点対は、前記収容空間内に位置しており、
前記可動部は、少なくとも部分的に前記収容空間に収容されており、かつ上下方向において上限位置と下限位置との間で移動可能であり、
前記可動部には、被規制部と第１接触部が設けられており、
前記可動部が前記上限位置にあるとき、前記被規制部は前記規制部により前記上下方向において上方への移動を規制されており、
前記可動部が前記上限位置にあるとき、前記接点対の接点は互いに離れており、
前記可動部が前記下限位置にあるとき、前記接点対の接点は互いに接触しており、
前記弾性部材は、ゴム材料からなり、かつ前記収容空間内に収容されており、
前記弾性部材は、前記収容空間内において前記第１接触部と接触する第２接触部を有しており、
前記第１接触部及び前記第２接触部の少なくとも一方は、前記上下方向と斜交しており、
前記収容空間内には、受容空間と許容空間とが設けられており、
前記受容空間は、少なくとも部分的に前記弾性部材によって規定され、かつ前記第２接触部よりも前記上下方向において下方に位置しており、
前記受容空間は、前記弾性部材が膨潤したとき、変形しつつ上方へ移動して前記可動部の一部を受容するものであり、
前記許容空間は、前記弾性部材の周囲に設けられており、
前記許容空間は、前記弾性部材が膨潤したとき、前記弾性部材の膨張を許容する
押釦スイッチを提供する。
【００１０】
また、本発明は、第２の押釦スイッチとして、第１の押釦スイッチであって、
前記可動部は、キートップと、前記上下方向において前記キートップから下方に延びる垂直部とを有しており、
前記第１接触部は、前記垂直部に形成されており、
前記受容空間は、前記弾性部材が膨潤したとき、前記垂直部の一部を受容する
押釦スイッチを提供する。
【００１１】
また、本発明は、第３の押釦スイッチとして、第２の押釦スイッチであって、
前記弾性部材は、下方が開放されたドーム形状部を有しており、
前記ドーム形状部の頂部には、肉厚部が形成されており、
前記肉厚部の上面には、凹部が形成されており、
前記凹部は、内側面を有しており、
前記第２接触部は、前記凹部の前記内側面上に設けられており、
前記受容空間は、前記凹部内に位置しており、
前記垂直部は、押し子であり、
前記第１接触部は、前記押し子の下端に形成されており、
前記弾性部材は、前記第１接触部と前記第２接触部との接触により、前記可動部を支持しており、
前記キートップが前記上下方向において下方へ押下されると、前記押し子が前記肉厚部を下向きに押す
押釦スイッチを提供する。
【００１２】
また、本発明は、第４の押釦スイッチとして、第３の押釦スイッチであって、
前記接点対は、前記上下方向において前記肉厚部の下方に設けられた可動接点と、前記上下方向において前記可動接点と対向するように前記基板の上側板面に設けられた固定接点とからなる
押釦スイッチを提供する。
【００１３】
また、本発明は、第５の押釦スイッチとして、第３又は第４の押釦スイッチであって、
前記凹部の前記内側面は、前記上下方向と斜交している
押釦スイッチを提供する。
【００１４】
また、本発明は、第６の押釦スイッチとして、第３から第５の押釦スイッチのいずれかであって、
前記押し子の下端にはテーパ形状部が形成されており、
前記第１接触部は、前記テーパ形状部に設けられている
押釦スイッチを提供する。
【００１５】
また、本発明は、第７の押釦スイッチとして、第２の押釦スイッチであって、
前記押釦スイッチは、更にガイド部を有しており、
前記ガイド部は、前記収容空間内に位置しており、
前記ガイド部には、前記上下方向に沿って延びるガイド孔が形成されており、
前記可動部は、前記上下方向において前記キートップから下方に延びる被ガイド部と、前記上下方向において前記キートップから下方に延びる押し子とを有しており、
前記被ガイド部は、前記ガイド孔に少なくとも部分的に挿入され、前記上下方向においてガイドされており、
前記垂直部は、前記押し子であり、
前記押し子は、前記上下方向と直交する水平面内において、前記被ガイド部を囲んでおり、
前記第１接触部は、前記押し子の下端に形成されており、
前記弾性部材は、下方が開放されたドーム形状部を有しており、
前記ドーム形状部の頂部には貫通孔が形成されており、
前記ドーム形状部には、前記貫通孔を囲う円筒部が設けられており、
前記円筒部の下端には、前記上下方向において下方へ突出する少なくとも一つの押圧部が形成されており、
前記第２接触部は、前記円筒部の上端に設けられており、
前記受容空間は、前記円筒部内に位置しており、
前記弾性部材は、前記第１接触部と前記第２接触部との接触により、前記可動部を支持しており、
前記キートップが押下されると、前記被ガイド部が前記ガイド孔内を下方に移動すると共に、前記少なくとも一つの押し子が前記円筒部を下向きに押す
押釦スイッチを提供する。
【００１６】
また、本発明は、第８の押釦スイッチとして、第７の押釦スイッチであって、
前記接点対は、少なくとも一対あり、前記少なくとも一つの押圧部に夫々対応しており、
前記接点対の夫々は、前記上下方向において前記押圧部の下方に設けられた可動接点と、前記上下方向において前記可動接点と対向するように前記基板の上側板面に備えられた固定接点とからなる
押釦スイッチを提供する。
【００１７】
また、本発明は、第９の押釦スイッチとして、第７又は第８の押釦スイッチであって、
前記円筒部の上端には、前記上下方向と斜交する傾斜面が設けられており、
前記傾斜面は、第２接触部を構成している
押釦スイッチを提供する。
【００１８】
また、本発明は、第１０の押釦スイッチとして、第７から第９の押釦スイッチのいずれかであって、
前記押し子の下端にはテーパ形状部が形成されており、
前記第１接触部は、前記テーパ形状部に設けられている
押釦スイッチを提供する。
【００１９】
また、本発明は、第１１の押釦スイッチとして、第２の押釦スイッチであって、
前記押釦スイッチは、更に付加的弾性部材を備えており、
前記付加的弾性部材は、下方が開放された付加的ドーム形状部を有しており、
前記付加的ドーム形状部の頂部には、受部が形成されており、
前記可動部は、前記上下方向において前記キートップから下方に延びる押し子を更に有しており、
前記押し子は、前記付加的弾性部材の受部上に位置しており、それによって、弾性部材は、可動部を支持しており、
前記上下方向において前記キートップが下方へ押下されると、前記押し子が前記受部を下向きに押すものであり、
前記弾性部材は、下方が開放されたドーム形状部を有しており、
前記ドーム形状部の頂部には、貫通孔が形成されており、
前記ドーム形状部には、前記貫通孔を囲う円筒部が形成されており、
前記第２接触部は、前記円筒部の上端に設けられており、
前記受容空間は、前記円筒部内に位置している
押釦スイッチを提供する。
【００２０】
また、本発明は、第１２の押釦スイッチとして、第１１の押釦スイッチであって、
前記押釦スイッチは、更にガイド部を有しており、
前記ガイド部は、前記収容空間内に位置しており、
前記ガイド部には、前記上下方向に沿って延びるガイド孔が形成されており、
前記押し子は、前記ガイド孔に少なくとも部分的に挿入され、前記上下方向においてガイドされており、
前記垂直部は、前記上下方向と直交する水平面内において、前記押し子を囲んでおり、
前記円筒部は、全周に亘って、前記垂直部に接しており、
前記弾性部材の下端は、全周に亘って前記ガイド部に接しており、
前記弾性部材は、前記押し子と前記ガイド孔との間に異物が進入することを防止している
押釦スイッチを提供する。
【００２１】
また、本発明は、第１３の押釦スイッチとして、第１１又は第１２の押釦スイッチであって、
前記円筒部の内側には、前記上下方向と斜交する内周面が形成されており、
前記第２接触部は、前記内周面に設けられている
押釦スイッチを提供する。
【００２２】
また、本発明は、第１４の押釦スイッチとして、第１１から第１３までの押釦スイッチのいずれかであって、
前記押し子の下端にはテーパ形状部が形成されており、
前記第１接触部は、前記テーパ形状部に設けられている
押釦スイッチを提供する。
【発明の効果】
【００２３】
本発明の押釦スイッチにおいて、ゴム材料からなる弾性部材は収容空間内に収容されている。収容空間内に設けられている受容空間は、弾性部材が膨潤したとき、変形しつつ上方へ移動して可動部の一部を受容する。また、収容空間内に設けられている許容空間は、弾性部材の周囲に設けられており、弾性部材が膨潤したとき、弾性部材の膨張を許容する。こうして、本発明の押釦スイッチは、弾性部材の膨潤による可動部のストロークの変化を抑制することができる。
【図面の簡単な説明】
【００２４】
【図１】本発明の第１の実施の形態による押釦スイッチを示す斜視断面図である。押釦スイッチに含まれるクリックラバーは膨潤していない。
【図２】図１の押釦スイッチに含まれる基板を示す斜視図である。
【図３】図１の押釦スイッチに含まれる可動接点シートを示す斜視図である。
【図４】図３の可動接点シートを示す底面図である。
【図５】図１の押釦スイッチに含まれるクリックラバーを示す斜視図である。
【図６】図５のクリックラバーを示す平面図である。
【図７】図５のクリックラバーを示す正面図である。
【図８】図５のクリックラバーを示す底面図である。
【図９】図５のクリックラバーを示す斜視断面図である。
【図１０】図１の押釦スイッチに含まれるキーガイドを示す斜視図である。
【図１１】図１０のキーガイドを示す平面図である。
【図１２】図１０のキーガイドを示す正面図である。
【図１３】図１０のキーガイドを示す底面図である。
【図１４】図１の押釦スイッチに含まれるフロントケースを示す斜視図である。
【図１５】図１４のフロントケースを示す平面図である。
【図１６】図１４のフロントケースを示す底面図である。
【図１７】図１の押釦スイッチに含まれる押釦を示す斜視図である。
【図１８】図１７の押釦を示す側面図である。
【図１９】図１７の押釦を示す底面図である。
【図２０】図１の押釦スイッチを示す縦断面図である。押釦の被ガイド部の下端付近を拡大して描画している。
【図２１】図１の押釦スイッチを示す別の斜視断面図である。クリックラバーは膨潤している。
【図２２】図２１の押釦スイッチを示す縦断面図である。被ガイド部の下端付近を拡大して描画している。
【図２３】本発明の第２の実施の形態による押釦スイッチを示す斜視断面図である。押釦スイッチに含まれるクリックラバーは膨潤していない。
【図２４】図２３の押釦スイッチに含まれる基板を示す斜視図である。
【図２５】図２３の押釦スイッチに含まれる可動接点シートを示す底面図である。
【図２６】図２３の押釦スイッチに含まれるクリックラバーを示す斜視図である。
【図２７】図２６のクリックラバーを示す平面図である。
【図２８】図２６のクリックラバーを示す側面図である。
【図２９】図２６のクリックラバーを示す底面図である。
【図３０】図２６のクリックラバーを示す斜視断面図である。
【図３１】図２３の押釦スイッチに含まれるキーガイドを示す斜視図である。
【図３２】図３１のキーガイドを示す平面図である。
【図３３】図３１のキーガイドを示す底面図である。
【図３４】図２３の押釦スイッチに含まれる押釦を示す側面図である。
【図３５】図３４の押釦を示す底面図である。
【図３６】図２３の押釦スイッチを示す縦断面図である。クリックラバーの円筒部の上端付近を拡大して描画している。
【図３７】図２３の押釦スイッチを示す別の斜視断面図である。クリックラバーは膨潤している。
【図３８】図３７の押釦スイッチを示す縦断面図である。クリックラバーの円筒部の上端付近を拡大して描画している。
【図３９】本発明の第３の実施の形態による押釦スイッチを示す斜視断面図である。押釦スイッチに含まれるクリックラバー及びラバーキャップは共に膨潤していない。
【図４０】図３９の押釦スイッチに含まれるラバーキャップを示す斜視図である。
【図４１】図３９のラバーキャップを示す平面図である。
【図４２】図３９のラバーキャップを示す底面図である。
【図４３】図３９のラバーキャップを示す斜視断面図である。
【図４４】図３９の押釦スイッチに含まれる押釦を示す側面図である。
【図４５】図４４の押釦を示す底面図である。
【図４６】図３９の押釦スイッチを示す縦断面図である。
【図４７】図３９の押釦スイッチを示す別の斜視断面図である。クリックラバー及びラバーキャップは共に膨潤している。
【図４８】図４７の押釦スイッチを示す縦断面図である。
【図４９】特許文献１に記載されたキースイッチを示す縦断面図である。
【図５０】特許文献２に記載されたキースイッチ装置を示す縦断面図である。
【発明を実施するための形態】
【００２５】
（第１の実施の形態）
図１を参照すると、本発明の第１の実施の形態による押釦スイッチ１０は、基板２０と、可動接点シート３０と、クリックラバー（弾性部材）４０と、キーガイド（ガイド部）５０と、フロントケース（筐体）６０と、押釦（可動部）７０とを備えている。本実施の形態において、押釦スイッチ１０は、水平方向に二次元配列された複数のスイッチを備えるキーボード（図示せず）の一部である。但し、本発明はこれに限られない。押釦スイッチ１０は、単体のスイッチとして構成されてもよい。なお、本実施の形態において、水平方向は上下方向と直交する方向であり、上下方向はＺ方向である。また、＋Ｚ方向が上方であり、−Ｚ方向が下方である。
【００２６】
図１及び図１５から理解されるように、上下方向に沿って見たとき、押釦スイッチ１０の形状は正方形である。但し、本発明はこれに限られない。例えば、押釦スイッチ１０の形状は、上下方向に沿って見たとき、長方形、円形、あるいは楕円形であってもよい。
【００２７】
図２に示されるように、基板２０は、上側板面２２と、上側板面２２に設けられた固定接点２４を有している。本実施の形態において、基板２０は、キーボード（図示せず）に用いられる回路基板（図示せず）であって、複数のスイッチ（図示せず）に対応している回路基板の一部である。回路基板は、多層プリント配線基板でもよいし、単層配線基板でもよい。あるいは、回路基板は、フレキシブル回路基板であってもよい。
【００２８】
図２に示されるように、固定接点２４は、第１固定接点２４１と第２固定接点２４３とからなる。但し、本発明は、これに限られない。固定接点２４は、単一の接点を有するものであってもよい。本実施の形態において、第１固定接点２４１及び第２固定接点２４３は導電体、例えば銅箔からなる。第１固定接点２４１と第２固定接点２４３とは、互いに近くに配置されているが、互いに電気的に分離されている。基板２０は、第１固定接点２４１及び第２固定接点２４３に夫々接続される第１配線（図示せず）及び第２配線（図示せず）を有していてもよい。第１配線及び第２配線は、上側板面２２に形成されてもよいし、内部配線層（図示せず）あるいは下側板面（図示せず）に形成されてもよい。
【００２９】
図３及び図４に示されるように、可動接点シート３０は、絶縁樹脂からなる絶縁シート部３２と、導電体からなる可動接点３４とを有している。本実施の形態において、可動接点シート３０は、キーボード（図示せず）に使用される接点シートであって、複数のスイッチ（図示せず）に対応する可動接点を有する接点シート（図示せず）の一部である。
【００３０】
図３及び図４から理解されるように、絶縁シート部３２は、ベースシート３２１とスペーサーシート３２３とからなる。スペーサーシート３２３は、ベースシート３２１の下面上に配置されている。絶縁シート部３２の下面には、スペーサーシート３２３の欠如部で構成された横方向に延びる溝３２５が形成されている。本実施の形態において、横方向はＸ方向である。
【００３１】
図４から理解されるように、溝３２５の横方向中央には、前後方向の幅が広い幅広部３２７が形成されている。本実施の形態において、幅広部３２７は、上下方向に沿って見たとき円形である。但し、本発明はこれに限られない。幅広部３２７は、多角形であってもよい。
【００３２】
図４に示されるように、可動接点３４は、溝３２５の幅広部３２７内において、ベースシート３２１の下面に設けられている。本実施の形態において、可動接点３４は、印刷形成された円形の導体である。可動接点３４の上下方向におけるサイズは、スペーサーシート３２３の上下方向におけるサイズに比べて小さい。換言すると、上下方向において可動接点３４は、スペーサーシート３２３の下面よりも上方に位置している。ここで、絶縁シート部３２は弾性を有している。可動接点３４は、絶縁シート部３２の弾性を利用して、少なくとも上下方向に移動可能である。特に、可動接点３４は、上下方向において、少なくともスペーサーシート３２３の下面の位置まで移動可能である。
【００３３】
図５から図９までに示されるように、クリックラバー４０は、下方が開放されたドーム形状を有するドーム形状部４２と、ドーム形状部４２の下縁から水平方向において外側へ延びるドーナツ形の鍔部４４と、鍔部４４の外周端から上方へ延びる円筒形の外壁部４６とを有している。クリックラバー４０は、ゴム材料からなり、弾性を有している。
【００３４】
図５から図９までに示されるように、ドーム形状部４２の頂部には、円板状の肉厚部４２１が形成されている。また、肉厚部４２１には、上下方向において上方に開口する凹部（受部）４２３が形成されている。本実施の形態において、肉厚部４２１には、上下方向において下方へ突出する突出部４２９が形成されている。特に図９から理解されるように、凹部４２３は、内側面４２５と底面４２７とを有している。本実施の形態において、凹部４２３は、上縁から底部に向かって内径が減少する形状を有している。換言すると、内側面４２５は上下方向と斜交する面である。クリックラバー４０の弾性により、肉厚部４２１は少なくとも上下方向に移動することが可能である。これにより、突出部４２９は、上下方向においてクリックラバー４０の最下部よりも下に位置することができる。
【００３５】
図１０から図１３までに示されるように、キーガイド５０は、厚みのある板状部５２と、板状部５２の上に設けられた台状部５４と、台状部５４から上方へ延びるガイド筒部５６とを有している。キーガイド５０は、絶縁樹脂からなる。本実施の形態において、キーガイド５０は、キーボード（図示せず）に使用されるものであって、複数のスイッチに対応するガイド部材の一部である。
【００３６】
図１及び図１３から理解されるように、キーガイド５０の板状部５２及び台状部５４は、クリックラバー４０を収容する下部空間５０１を規定している。下部空間５０１には、水平方向において、内周側と外周側とを不完全に仕切る仕切壁５０３が設けられている。仕切壁５０３は、円筒形状であり、上下方向において下方へ突出している。仕切壁５０３の下端は、上下方向において、板状部５２の下面よりも上方に位置している。台状部５４及びガイド筒部５６には、これらを上下方向に貫通し、下部空間５０１に通じるガイド孔５０５が形成されている。
【００３７】
図１４から図１６に示されるように、フロントケース６０は、フレーム形状を有している。換言すると、フロントケース６０は、四つの側壁部６２を有している。フロントケース６０は、絶縁樹脂からなる。本実施の形態において、フロントケース６０は、キーボード（図示せず）に使用され、複数のスイッチに対応するカバー（図示せず）の一部である。側壁部６２の上端には、夫々水平方向において内側へ張り出す張出部６２１が形成されている。張出部６２１の存在により、水平面内において、フロントケース６０の上部開口６４は、下部開口６６よりも小さい。
【００３８】
図１７から図１９までに示されるように、押釦７０は、キートップ７２と、キートップ７２から上下方向において下方へ延びる被ガイド部（垂直部）７４を有している。押釦７０は、絶縁樹脂からなる。キートップ７２は、上板部７２１と、上板部７２１の縁から下方へ延びる外周部７２３と、外周部７２３の四つの角にそれぞれ設けられた脚部７２５とを有している。脚部７２５には、夫々水平方向において外側へ突出する係部７２７が設けられている。
【００３９】
図１８及び図１９から理解されるように、被ガイド部７４の下端７４１には、テーパ形状部７４３が形成されている。テーパ形状部７４３は、外側面と底面とを有している。テーパ形状部７４３の外側面は、上下方向と斜交している。また、被ガイド部７４の側面には、前後方向を規定する突起７４５，７４７が設けられている。突起７４５，７４７は、上下方向に延びている。水平面内において、突起７４５，７４７のサイズは、互いに異なっている。
【００４０】
図２０を参照すると、基板２０とフロントケース６０とは、収容空間１２を規定している。収容空間１２には、可動接点シート３０、クリックラバー４０及びキーガイド５０が収容されている。また、押釦７０は、部分的に収容空間１２に収容されている。詳しくは、収容空間１２は、少なくとも押釦７０の被ガイド部７４の下端７４１を含む部分と、係部７２７とを収容している。
【００４１】
図２０に示されるように、可動接点シート３０は基板２０上に配置されている。可動接点シート３０の可動接点３４は、上下方向において、固定接点２４の上方に位置している。詳しくは、上下方向に沿って見たとき、少なくとも部分的に固定接点２４と重なるように配置されている。より詳しくは、可動接点３４は、上下方向に沿って見たとき、第１固定接点２４１（図２参照）の少なくとも一部と重なると共に、第２固定接点２４３（図２参照）の少なくとも一部と重なるように配置されている。こうして、可動接点３４と固定接点２４とは、互いに離れて対向しており、接点対１４を形成している。このように、本実施の形態の押釦スイッチ１０は、収容空間１２内に位置する接点対１４を備えている。
【００４２】
図２０に示されるように、クリックラバー４０及びキーガイド５０は、可動接点シート３０上に配置されている。また、クリックラバー４０は、キーガイド５０の下部空間５０１内に収容されている。クリックラバー４０のドーム形状部４２は、水平方向において、仕切壁５０３の内周側に位置している。クリックラバー４０の外壁部４６は、水平方向において、仕切壁５０３の外周側に位置している。本実施の形態において、外壁部４６は、仕切壁５０３に接している。更に、クリックラバー４０の肉厚部４２１は、上下方向に沿って見たとき、接点対１４と重なるように配置されている。
【００４３】
図２０から理解されるように、押釦７０の被ガイド部７４は、キーガイド５０のガイド孔５０５に部分的に挿入されている。被ガイド部７４の下端７４１は、キーガイド５０の下部空間５０１内に達している。被ガイド部７４の下端７４１のテーパ形状部７４３の外側面は、クリックラバー４０の凹部４２３の内側面４２５の一部に接触している。本実施の形態において、テーパ形状部７４３の外側面は、クリックラバー４０に接触する第１接触部１１１である。また、クリックラバー４０の内側面４２５の一部は、第１接触部１１１に接触する第２接触部１１３である。このように、本実施の形態において、押釦７０の被ガイド部（垂直部）７４のテーパ形状部７４３には、第１接触部１１１が設けられており、クリックラバー４０の凹部４２３の内側面４２５上には、第２接触部１１３が設けられている。
【００４４】
図２０に示されるように、押釦７０に設けられた第１接触部１１１とクリックラバー４０に設けられた第２接触部１１３との接触により、押釦７０はクリックラバー４０によって支持される。クリックラバー４０に支持された押釦７０は、クリックラバー４０の弾性により、上限位置と下限位置との間で上下方向に移動可能である。押釦７０が上下方向に移動するとき、被ガイド部７４はガイド孔５０５によってガイドされる。
【００４５】
図２０から理解されるように、押釦７０が上限位置にあるとき、押釦７０の係部７２７の夫々の上面７２９は、フロントケース６０の張出部６２１の下面６２３に少なくとも部分的に接触する。これにより、上下方向において、押釦７０は、上限位置を越えて上方へ移動することが規制される。このとき、フロントケース６０の張出部６２１の下面６２３は規制部として機能し、押釦７０の係部７２７の上面７２９は被規制部として働く。このように、本実施の形態において、フロントケース６０には規制部が設けられ、押釦７０には被規制部が設けられている。
【００４６】
図２０から理解されるように、押釦７０の被ガイド部７４、クリックラバー４０の肉厚部４２１、及び接点対１４は、上下方向に沿って直線上に並んでいる。換言すると、上下方向において、被ガイド部７４及び肉厚部４２１の下方に、可動接点３４及び固定接点２４が設けられている。押釦７０が上限位置にあるとき、接点対１４の接点、即ち可動接点３４と固定接点２４とは互いに離れている。
【００４７】
図２０に示される状態から、上下方向において押釦７０が押し下げられると、被ガイド部７４はクリックラバー４０の肉厚部４２１を下方へ押す。このように、本実施の形態において、被ガイド部７４は押し子１６として働く。上下方向において肉厚部４２１が下方へ押されると、クリックラバー４０のドーム形状部４２が弾性変形し、肉厚部４２１は、上下方向において下方へ移動する。そして、肉厚部４２１の突出部４２９は、可動接点シート３０を下方へ押し、可動接点シート３０を部分的に弾性変形させる。その結果、可動接点３４が固定接点２４に接触する。可動接点３４が固定接点２４に接触することにより、上下方向において押釦７０の下方への移動が規制される。つまり、このとき、押釦７０は下限位置にある。そして、押釦７０が下限位置にあるとき、接点対１４の接点、即ち可動接点３４と固定接点２４とは互いに接触している。こうして、押釦７０が下限位置にあるとき、第１固定接点２４１と第２固定接点２４３とが可動接点３４を介して互いに電気的に接続される。
【００４８】
押釦スイッチ１０の使用状況によっては、押釦スイッチ１０の収容空間１２内に液体が進入することがある。その場合、クリックラバー４０が膨潤する可能性がある。そこで、押釦スイッチ１０の収容空間１２内には、図２０に示されるように、受容空間１２１と許容空間１２３とが設けられている。
【００４９】
図２０に示されるように、受容空間１２１は、クリックラバー４０によって少なくとも部分的に規定されている。本実施の形態において、受容空間１２１は、クリックラバー４０と被ガイド部７４の下端７４１との間に位置している。詳しくは、受容空間１２１は、クリックラバー４０の凹部４２３内であって、上下方向において第２接触部１１３よりも下に位置している。
【００５０】
図２０に示されるように、許容空間１２３は、キーガイド５０の下部空間５０１内に位置している。詳しくは、下部空間５０１内において、クリックラバー４０の周囲の空間が許容空間１２３である。
【００５１】
図２１及び図２２を参照すると、クリックラバー４０が膨潤している。つまり、クリックラバー４０の体積は、図１及び図２０に示される状態のときよりも増加している。このとき、受容空間１２１は、クリックラバー４０の膨潤に伴って、変形しつつ上方へ移動する。そして、受容空間１２１は、押釦７０の被ガイド部７４の一部、即ち、被ガイド部７４の下端７４１を受容する。その結果、被ガイド部７４の下端７４１と凹部４２３の底面４２７との距離は図２０に示される状態に比べて短くなっている。また、クリックラバー４０が膨潤したとき、許容空間１２３は、クリックラバー４０の膨張を許容する。これにより、クリックラバー４０の膨潤に伴い肉厚部４２１の突出部４２９が上下方向において下方へ移動することが防止又は抑制される。その結果、クリックラバー４０の膨潤の前後において、押釦７０のストロークの減少はほとんど生じない。また、クリックラバー４０の弾性変化が妨げられることもない。
【００５２】
本実施の形態において、第１接触部１１１（図２０及び図２２参照）及び第２接触部１１３（図２０及び図２２参照）は共に上下方向と斜交する傾斜面である。但し、本発明は、これに限られない。第１接触部１１１及び第２接触部１１３の少なくとも一方が、上下方向と斜交していればよい。例えば、被ガイド部７４の下端７４１の形状は、テーパ形状部７４３を有さない円柱状であってもよい。あるいは、クリックラバー４０の凹部４２３の内側面４２５は、上下方向と平行な面であってもよい。その場合、内側面４２５の上端が、被ガイド部７４のテーパ形状部７４３（第１接触部１１１）と接触する。
【００５３】
本実施の形態において、押釦スイッチ１０（図１参照）は、キーガイド５０を備えている。但し、本発明はこれに限られない。キーガイド５０は必須ではなく、省略することができる。その場合、フロントケース６０が、押釦７０の上下方向の動きをガイドするようにしてもよい。
【００５４】
本実施の形態において、押釦スイッチ１０（図１参照）は、可動接点シート３０を備えている。但し、本発明はこれに限られない。可動接点３４は、クリックラバー４０の肉厚部４２１に設けられてもよい。いずれにしても、可動接点３４は、クリックラバー４０の肉厚部４２１と固定接点２４との間に位置していればよい。
【００５５】
本実施の形態において、押釦スイッチ１０（図１参照）は、第１固定接点２４１と第２固定接点２４３との間を電気的に接続するものである。但し、本発明はこれに限られない。押釦スイッチ１０は、単純に、固定接点２４と可動接点３４との間を電気的に接続するものであってもよい。
【００５６】
（第２の実施の形態）
図２３を参照すると、本発明の第２の実施の形態による押釦スイッチ１０Ａは、基板２０Ａと、可動接点シート３０Ａと、クリックラバー（弾性部材）４０Ａと、キーガイド（ガイド部）５０Ａと、フロントケース（筐体）６０Ａと、押釦（可動部）７０Ａとを備えている。以下、本実施の形態による押釦スイッチ１０Ａについて、主に第１の実施の形態による押釦スイッチ１０と異なる点について説明する。押釦スイッチ１０Ａの構成要素のうち、第１の実施の形態による押釦スイッチ１０と共通する又は対応する要素には、同一の参照符号を使用する。
【００５７】
図２４に示されるように、基板２０Ａの上側板面２２の上には二つの固定接点２４が形成されている。固定接点２４は、横方向において、互いに離れて配置されている。固定接点２４の夫々は、第１固定接点２４１及び第２固定接点２４３からなる。
【００５８】
図２５に示されるように、可動接点シート３０Ａには、二つの可動接点３４が設けられている。可動接点３４は、横方向において、互いに離れて配置されている。可動接点シート３０Ａの溝３２５には、可動接点３４にそれぞれ対応する幅広部３２７が形成されている。可動接点３４は、固定接点２４（図２４参照）にそれぞれ対応する。
【００５９】
図２６から図３０までに示されるように、クリックラバー４０Ａは、下方が開放されたドーム形状部４２を有している。ドーム形状部４２の頂部には貫通孔４３１が形成されている。また、ドーム形状部４２には、貫通孔４３１を囲う円筒部４３３が設けられている。円筒部４３３は、上下方向に延びている。円筒部４３３は、内径及び外径の異なる複数の部分を有している。円筒部４３３の内周側上端には上下方向と斜交する傾斜面４３５が形成されている。また、図２９及び図３０に示されるように、円筒部４３３の下端には、上下方向において下方へ突出する二つの押圧部４８が設けられている。押圧部４８は、接点対１４（図２３参照）にそれぞれ対応している。
【００６０】
図３１から図３３までに示されるように、キーガイド５０Ａは、板状部５２と板状部５２から上方へ延びるガイド筒部５６とを有している。キーガイド５０Ａは、下部空間５０１を有していない。板状部５２には上下方向に貫通する二つの孔５２１が形成されている。孔５２１は、横方向において、ガイド筒部５６を挟むように配置されている。上下方向に沿って見たとき、孔５２１は横方向に長い楕円形である。
【００６１】
図３４及び図３５に示されるように、押釦７０Ａは、上下方向において上板部７２１から下方へ延びる被ガイド部７４と、上下方向において下方へ延びる押下部（垂直部）７６とを有している。本実施の形態において、押下部７６の形状は、水平面内において被ガイド部７４を囲む円筒形である。押下部７６の下端には、上下方向と斜交する傾斜面７６１が形成されている。本実施の形態において、傾斜面７６１の形状は、円錐台の側面の形状である。本実施の形態において、押下部７６の下端には上下方向において下方へ突出する縁部７６３が更に設けられている。
【００６２】
図３６から理解されるように、基板２０Ａとフロントケース６０Ａとは、収容空間１２を規定している。収容空間１２には、可動接点シート３０Ａ、キーガイド５０Ａ及びクリックラバー４０Ａが収容されている。クリックラバー４０Ａはキーガイド５０Ａの板状部５２の上に設けられている。クリックラバー４０Ａの下端、即ち鍔部４４の底面は全周に亘って板状部５２に接触している。
【００６３】
図３６から理解されるように、可動接点シート３０Ａは、可動接点３４が、上下方向において固定接点２４と互いに対向するように、基板２０Ａ上に設けられる。キーガイド５０Ａは、上下方向に沿って見たとき、孔５２１が可動接点３４と重なるように可動接点シート３０Ａ上に設けられる。クリックラバー４０Ａは、上下方向に沿って見たとき、押圧部４８が、可動接点３４と重なるようにキーガイド５０Ａ上に配置される。このとき、キーガイド５０Ａのガイド筒部５６は、少なくとも部分的に、クリックラバー４０Ａの円筒部４３３内に位置する。本実施の形態において、ガイド筒部５６の中心軸とクリックラバー４０Ａの円筒部４３３の中心軸とは互いに一致している。
【００６４】
図３６に示されるように、押釦７０Ａの被ガイド部７４は、ガイド孔５０５に少なくとも部分的に挿入される。また、押釦７０Ａの押下部７６は、少なくとも部分的にクリックラバー４０Ａの円筒部４３３内に位置している。押下部７６の傾斜面７６１はクリックラバー４０Ａの傾斜面４３５と接触している。換言すると、円筒部４３３は、全周に亘って押下部７６に接している。本実施の形態において、押下部７６の傾斜面７６１の一部が第１接触部１１１であり、クリックラバー４０Ａの傾斜面４３５が第２接触部１１３である。押下部７６傾斜面７６１のうち、クリックラバー４０Ａの傾斜面４３５が接触している部分が第１接触部１１１である。第１接触部１１１と第２接触部１１３との接触により、クリックラバー４０Ａは押釦７０Ａを支持している。
【００６５】
図３６から理解されるように、上下方向において、押釦７０Ａが押下されると、押下部７６がクリックラバー４０Ａの円筒部４３３を下方へ押す。即ち、押下部７６は、押し子１６として作用する。上下方向において、円筒部４３３が下方へ押されると、ドーム形状部４２が弾性変形し、円筒部４３３は下方へ移動する。このとき、被ガイド部７４はガイド孔５０５によってガイドされ、ガイド孔５０５内を下方へ移動する。円筒部４３３が下方へ移動するに伴い、押圧部４８は、キーガイド５０Ａの板状部５２の孔５２１内に進入する。その後、押圧部４８は可動接点シート３０Ａを押圧し、可動接点シート３０Ａを弾性変形させる。その結果、可動接点３４は固定接点２４にそれぞれ接触する。こうして、各固定接点２４の第１固定接点２４１と第２固定接点２４３との間が可動接点３４を介して電気的に接続される。
【００６６】
図３６から理解されるように、収容空間１２内には、クリックラバー４０Ａによって少なくとも部分的に規定される受容空間１２１が設けられている。本実施の形態において、受容空間１２１は、クリックラバー４０Ａの円筒部４３３の内側に位置している。詳しくは、受容空間１２１は、上下方向において、クリックラバー４０Ａの円筒部４３３内であって、第２接触部１１３よりも下に位置している。また、収容空間１２内には、クリックラバー４０Ａの周囲に許容空間１２３が設けられている。
【００６７】
図３７及び図３８を参照すると、クリックラバー４０Ａが膨潤している。つまり、クリックラバー４０Ａの体積は、図２３及び図３６に示される状態のときよりも増加している。このとき、受容空間１２１は、クリックラバー４０Ａの膨潤に伴って、変形しつつ上方へ移動する。そして、受容空間１２１は、押釦７０Ａの押下部７６の一部、即ち、押下部７６の下端を受容する。また、クリックラバー４０Ａが膨潤したとき、許容空間１２３は、クリックラバー４０Ａの膨張を許容する。これにより、クリックラバー４０Ａの膨潤に伴い押圧部４８が上下方向において下方へ移動することが防止又は抑制される。その結果、クリックラバー４０Ａの膨潤の前後において、押釦７０Ａのストロークの減少はほとんど生じない。また、クリックラバー４０Ａの弾性変化が妨げられることもない。
【００６８】
実施の形態において、接点対１４の数は二つであったが、本発明はこれに限られない。接点対１４の数は、少なくとも一つあればよい。これに対応して、押下部７６は、クリックラバー４０Ａに少なくとも一つ設けられていればよい。
【００６９】
（第３の実施の形態）
図３９を参照すると、本発明の第３の実施の形態による押釦スイッチ１０Ｂは、ラバーキャップ（弾性部材）８０と、クリックラバー（付加的弾性部材）４０Ｂとを備えている。押釦スイッチ１０Ｂの構造は、第１の実施の形態による押釦スイッチ１０と第２の実施の形態の押釦スイッチ１０Ａとを組み合わせたとみなせる。但し、ラバーキャップ８０は、押圧部４８（図３０参照）を有していない。一方、クリックラバー４０Ｂは、クリックラバー４０と同一の構造を有している。以下、押釦スイッチ１０及び押釦スイッチ１０Ａと共通する又は対応する要素には、同一の参照符号を使用する。
【００７０】
図４０から図４３に示されるように、ラバーキャップ８０は、下方が開放されたドーム形状部８２と、その縁に設けられた鍔部８４とを有している。ドーム形状部８２の頂部には貫通孔８２９が形成されている。また、ドーム形状部８２には、貫通孔８２９を囲う円筒部８３１が設けられている。円筒部８３１は、上下方向に延びている。円筒部８３１の内周側上端には上下方向と斜交する傾斜面８３３が形成されている。
【００７１】
図４４及び図４５と、図３４及び図３５との比較から容易に理解されるように、押釦７０Ｂは、押釦７０Ａと被ガイド部７４及び押下部７６の寸法が若干異なる点を除いて同一に構成されている。
【００７２】
図４６から理解されるように、押釦７０Ｂは、ラバーキャップ８０に接すると共に、クリックラバー４０Ｂによって支持される。詳しくは、上下方向において、押下部７６は、ラバーキャップ８０の円筒部８３１上に位置し、被ガイド部７４はクリックラバー４０Ｂの凹部（受部）４２３上に位置している。また、押下部７６の傾斜面７６１がラバーキャップ８０の円筒部８３１の傾斜面８３３に接触し、被ガイド部７４のテーパ形状部７４３の外側面が、クリックラバー４０Ｂの凹部４２３の内側面４２５に接触している。つまり、押下部７６の傾斜面７６１の一部が第１接触部１１１であり、ラバーキャップ８０の円筒部８３１の傾斜面８３３が第２接触部１１３である。また、被ガイド部７４のテーパ形状部７４３の外側面が付加的第１接触部１１５であり、クリックラバー４０Ｂの凹部（受部）４２３の内側面４２５の一部が付加的第２接触部１１７である。
【００７３】
図４６に示されるように、ラバーキャップ８０の円筒部８３１の上端は、上下方向において、キーガイド５０のガイド筒部５６よりも外側に位置している。これにより、ラバーキャプは、被ガイド部７４とガイド孔５０５との間に異物が進入することを防止している。
【００７４】
図４６から理解されるように、上下方向において押釦７０Ｂが押下されると、被ガイド部７４がクリックラバー４０Ｂの肉厚部４２１を押し下げると共に、押下部７６がラバーキャップ８０の円筒部８３１を押し下げる。これにより、クリックラバー４０Ｂ及びラバーキャップ８０が共に弾性変形し、クリックラバー４０Ｂの突出部４２９が可動接点３４を固定接点２４に接触させる。本実施の形態において、被ガイド部７４が電気的接続に関与する押し子１６である。
【００７５】
図４７及び図４８を参照すると、ラバーキャップ８０及びクリックラバー４０Ｂが夫々膨潤している。つまり、ラバーキャップ８０及びクリックラバー４０Ｂの夫々体積は、図３９及び図４６に示される状態のときよりも増加している。このとき、受容空間１２１は、ラバーキャップ８０の膨潤に伴って、変形しつつ上方へ移動する。そして、受容空間１２１は、押釦７０Ｂの押下部７６の一部、即ち、押下部７６の下端を受容する。同様に、付加的受容空間１２５は、クリックラバー４０Ｂの膨潤に伴って、変形しつつ上方へ移動する。そして、付加的受容空間１２５は、被ガイド部７４の一部、即ち、被ガイド部７４の下端７４１を受容する。また、ラバーキャップ８０が膨潤したとき、許容空間１２３は、ラバーキャップ８０の膨張を許容する。同様に、クリックラバー４０Ｂが膨潤したとき、付加的許容空間１２７は、クリックラバー４０Ｂの膨張を許容する。以上により、ラバーキャップ８０及びクリックラバー４０Ｂの膨潤に伴う突出部４２９の下方へ移動が防止又は抑制される。その結果、ラバーキャップ８０及びクリックラバー４０Ｂの膨潤の前後において、押釦７０Ｂのストロークの減少はほとんど生じない。また、ラバーキャップ８０及びクリックラバー４０Ｂの弾性変化が妨げられることもない。
【００７６】
以上、本発明について、いくつかの実施の形態を掲げて具体的に説明してきたが、本発明はこれに限定されるわけではなく、種々の変形が可能である。
【符号の説明】
【００７７】
１０，１０Ａ，１０Ｂ    押釦スイッチ
１１１    第１接触部
１１３    第２接触部
１１５    付加的第１接触部
１１７    付加的第２接触部
１２    収容空間
１２１    受容空間
１２３    許容空間
１２５    付加的受容空間
１２７    付加的許容空間
１４    接点対
１６    押し子
２０，２０Ａ    基板
２２    上側板面
２４    固定接点
２４１    第１固定接点
２４３    第２固定接点
３０，３０Ａ    可動接点シート
３２    絶縁シート部
３２１    ベースシート
３２３    スペーサーシート
３２５    溝
３２７    幅広部
３４    可動接点
４０，４０Ａ    クリックラバー（弾性部材）
４０Ｂ    クリックラバー（付加的弾性部材）
４２    ドーム形状部
４２１    肉厚部
４２３    凹部
４２５    内側面
４２７    底面
４２９    突出部
４３１    孔
４３３    円筒部
４３５    傾斜面
４４    鍔部
４６    外壁部
４８    押圧部
５０，５０Ａ    キーガイド（ガイド部）
５０１    下部空間
５０３    仕切壁
５０５    ガイド孔
５２    板状部
５２１    孔
５４    台状部
５６    ガイド筒部
６０，６０Ａ    フロントケース（筐体）
６２    側壁部
６２１    張出部
６２３    下面（規制部）
６４    上部開口
６６    下部開口
７０，７０Ａ    押釦（可動部）
７２    キートップ
７２１    上板部
７２３    外周部
７２５    脚部
７２７    係部
７２９    上面（被規制部）
７４    被ガイド部
７４１    下端
７４３    テーパ形状部
７４５，７４７    突起
７６    押下部
７６１    傾斜面
７６３    縁部
８０    ラバーキャップ（弾性部材）
８２    ドーム形状部
８２９    孔
８３１    円筒部
８３３    傾斜面
８４    鍔部
【図１】
2020155317.tif 000003
【図２】
2020155317.tif 000004
【図３】
2020155317.tif 000005
【図４】
2020155317.tif 000006
【図５】
2020155317.tif 000007
【図６】
2020155317.tif 000008
【図７】
2020155317.tif 000009
【図８】
2020155317.tif 000010
【図９】
2020155317.tif 000011
【図１０】
2020155317.tif 000012
【図１１】
2020155317.tif 000013
【図１２】
2020155317.tif 000014
【図１３】
2020155317.tif 000015
【図１４】
2020155317.tif 000016
【図１５】
2020155317.tif 000017
【図１６】
2020155317.tif 000018
【図１７】
2020155317.tif 000019
【図１８】
2020155317.tif 000020
【図１９】
2020155317.tif 000021
【図２０】
2020155317.tif 000022
【図２１】
2020155317.tif 000023
【図２２】
2020155317.tif 000024
【図２３】
2020155317.tif 000025
【図２４】
2020155317.tif 000026
【図２５】
2020155317.tif 000027
【図２６】
2020155317.tif 000028
【図２７】
2020155317.tif 000029
【図２８】
2020155317.tif 000030
【図２９】
2020155317.tif 000031
【図３０】
2020155317.tif 000032
【図３１】
2020155317.tif 000033
【図３２】
2020155317.tif 000034
【図３３】
2020155317.tif 000035
【図３４】
2020155317.tif 000036
【図３５】
2020155317.tif 000037
【図３６】
2020155317.tif 000038
【図３７】
2020155317.tif 000039
【図３８】
2020155317.tif 000040
【図３９】
2020155317.tif 000041
【図４０】
2020155317.tif 000042
【図４１】
2020155317.tif 000043
【図４２】
2020155317.tif 000044
【図４３】
2020155317.tif 000045
【図４４】
2020155317.tif 000046
【図４５】
2020155317.tif 000047
【図４６】
2020155317.tif 000048
【図４７】
2020155317.tif 000049
【図４８】
2020155317.tif 000050
【図４９】
2020155317.tif 000051
【図５０】
2020155317.tif 000052